(57)【要約】【課題】  表示部と発音体の両方を有する電気光学装置を電子機器の内部に設ける際に、電気光学装置の全体的な厚さ及び電子機器の厚さを薄く形成できるようにする。【解決手段】  表示領域を備えた表示部２と、表示部２と重なるように配置され音を発生する複数の発音体３ａ，３ｂと、表示部２と発音体３ａ，３ｂとの間に配置され表示部２を保持する第１枠４とを有する電気光学装置１Ａである。第１枠４は複数の発音体３ａ，３ｂのための気室Ｒ１を形成する。また、第１枠４には複数の発音体３ａ，３ｂのそれぞれに対応する導音路Ｐ及び放音孔Ｐｂが設けられる。【選択図】        図１
2006100898.tif 000002
【特許請求の範囲】
【請求項１】
表示領域を備えた表示部と、
前記表示部と重なるように配置され、音を発生する複数の発音体と、
前記表示部と前記発音体との間に配置され、前記表示部を保持する第１枠とを有し、
前記第１枠は前記複数の発音体のための気室を形成し、
前記第１枠に前記複数の発音体のそれぞれに対応する導音路及び放音孔が設けられる
ことを特徴とする電気光学装置。
【請求項２】
請求項１記載の電気光学装置において、前記表示部と前記発音体とが前記第１枠によって支持されることにより、前記表示部と前記第１枠と前記発音体が一体に結合することを特徴とする電気光学装置。
【請求項３】
請求項２記載の電気光学装置において、前記第１枠は前記発音体のための前記表示部側の気室及び前記表示部と反対側の気室の両方を形成することを特徴とする電気光学装置。
【請求項４】
請求項１記載の電気光学装置において、
前記発音体及び前記第１枠を個別に支持する第２枠をさらに有し、
該第２枠により前記表示部と前記第１枠と前記発音体が一体に結合する
ことを特徴とする電気光学装置。
【請求項５】
請求項４記載の電気光学装置において、前記第２枠は、前記複数の発音体のための気室であって前記表示部と反対側の気室を形成することを特徴とする電気光学装置。
【請求項６】
請求項４又は請求項５記載の電気光学装置において、前記第２枠は前記表示部、前記第１枠及び前記複数の発音体を収容する容器形状であることを特徴とする電気光学装置。
【請求項７】
請求項４から請求項６のいずれか１つに記載の電気光学装置において、前記第２枠と協働して前記表示部、前記第１枠及び前記発音体を押圧状態で挟持する第３枠をさらに有することを特徴とする電気光学装置。
【請求項８】
請求項１から請求項７のいずれか１つに記載の電気光学装置において、前記放音孔は前記表示部の表示領域と同じ面に開口することを特徴とする電気光学装置。
【請求項９】
請求項１から請求項８のいずれか１つに記載の電気光学装置において、前記複数の発音体はそれらの一部分が互いに重なるように配置されることを特徴とする電気光学装置。
【請求項１０】
請求項１から請求項８のいずれか１つに記載の電気光学装置において、前記複数の発音体はそれらの全体が互いに重なるように配置されることを特徴とする電気光学装置。
【請求項１１】
電気光学装置と、電気光学装置が取り付けられる被固定部材とを有し、前記電気光学装置は請求項１から請求項１０のいずれか１つに記載の電気光学装置であることを特徴とする電子機器。
【請求項１２】
請求項１１記載の電子機器において、前記被固定部材は外装ケースであることを特徴とする電子機器。
【発明の詳細な説明】
【技術分野】
【０００１】
本発明は、液晶表示装置等といった電気光学装置に関する。また、本発明は、その電気光学装置を用いて構成される電子機器に関する。
【背景技術】
【０００２】
近年、携帯電話機、携帯情報端末機等といった電子機器において液晶表示装置等といった電気光学装置が広く用いられている。例えば、電子機器に関する各種の情報を表示するための表示装置として電気光学装置が用いられている。電気光学装置とは、電気的な入力によって光学的な出力状態を制御する装置であり、例えば、液晶表示装置、ＥＬ（Electro Luminescence）装置、プラズマディスプレイ装置、その他の装置が考えられる。
【０００３】
上記の電気光学装置は、主に、電子機器に関する各種の情報を画像として表示する際に用いられるものであるが、電子機器の中にはこのような画像表示手段以外に、音を発生する手段を設ける必要もある。例えば、携帯電話機では、相手が話す内容を音声によって表現する必要がある。このような音を発生する手段は、例えば、スピーカ等といった発音体によって構成される。電気光学装置と発音体の両方を備えた電子機器は、従来から知られている。また、複数の発音体を備えた電子機器も知られている（例えば、特許文献１又は特許文献２参照）。
【０００４】
【特許文献１】特開２００３−０７８６０１号公報（第３頁、図１）
【特許文献２】特開２００３−１５８７８７号公報（第３頁、図３）
【発明の開示】
【発明が解決しようとする課題】
【０００５】
しかしながら、上記従来の電子機器では、電気光学装置と複数の発音体とが電子機器の筐体の中で別々の場所に設置されていた。この場合、電気光学装置と複数の発音体とを電子機器の厚さ方向に重ねて配置すると、電子機器の厚さが厚くなり過ぎるおそれがある。近年、電子機器に関してはそれを薄型にすることの要求が高まっており、上記のように電子機器の厚さが厚くなるというのは、その薄型化の要求に反している。また、電子機器が厚くなることを避けるために、電気光学装置と発音体とを互いに重ならないように配置することが考えられる。しかしながらこの場合には、電子機器の平面形状が大きくなり、やはり小型化の要求に応えることができない。
【０００６】
また、電子機器の内部に発音体を設ける場合には、電子機器の内部に電気光学装置を設置した上で発音体の周りの音響設計を行わなければならず、それ故、電子機器の小型化及び薄型化が難しかった。
【０００７】
本発明は、上記の問題点に鑑みて成されたものであって、表示部と発音体の両方を有する電気光学装置を電子機器の内部に設ける際に、電気光学装置の全体的な厚さ及び電子機器の厚さを薄く形成できるようにすることを目的とする。
【課題を解決するための手段】
【０００８】
本発明に係る電気光学装置は、表示領域を備えた表示部と、前記表示部と重なるように配置され音を発生する複数の発音体と、前記表示部と前記発音体との間に配置され前記表示部を保持する第１枠とを有し、前記第１枠は前記複数の発音体のための気室を形成し、前記第１枠に前記複数の発音体のそれぞれに対応する導音路及び放音孔が設けられることを特徴とする。
【０００９】
上記構成において、「表示部」は任意の表示手段によって構成できる。このような表示手段としては、液晶表示装置、ＥＬ表示装置、プラズマディスプレイ装置、その他の表示装置が適用できる。また、「発音体」は、例えばスピーカによって構成できる。また、第1枠は、プラスチック、金属等によって形成できる。この第1枠は、複数の発音体のための気室を形成するものであるので、複雑な形状になる場合があるかもしれない。このような場合には、プラスチックを材料とする樹脂成形によってその第1枠を形成することが望ましい。
【００１０】
上記構成の電気光学装置によれば、第１枠によって表示部が保持され、さらに表示部と発音体との間に第１枠が配置され、さらに発音体のための気室は第１枠によって予め形成され、さらに第１枠に導音路及び放音孔が形成されている。このため、電気光学装置を電子機器の内部に組付ける際には、表示部、第１枠及び発音体を１つのユニットとして電子機器の内部の適所に取り付けるだけでよく、表示部と発音体とを電子機器に別々に組み込む場合に比べて、電気光学装置及び電子機器の全体形状を小型及び薄型にできる。
【００１１】
また、この電気光学装置によれば、第１枠それ自体によって気室、導音路及び放音孔が形成されるので、電子機器側ではそれらに関する設計を行う必要がなくなり、それ故、電子機器の設計が簡単になり、しかも、電子機器の全体形状を小型及び薄型にできる。また、この電気光学装置では、発音体が複数用いられるので、ステレオ音声を出力できる。
【００１２】
次に、本発明に係る電気光学装置においては、前記表示部と前記発音体とが前記第１枠によって支持されることにより、前記表示部と前記第１枠と前記発音体が一体に結合することが望ましい。こうすれば、第１枠以外の枠を用いることなく電気光学装置の一体構造を実現できるので、電気光学装置をより一層小型にできる。
【００１３】
次に、本発明に係る電気光学装置において、前記第１枠は前記発音体のための前記表示部側の気室及び前記表示部と反対側の気室の両方を形成することが望ましい。こうすれば、発音体のための気室を形成するために第１枠以外の何等かの部材を用いる必要がなくなるので、電気光学装置をより一層小型にできる。
【００１４】
次に、本発明に係る電気光学装置においては、前記発音体及び前記第１枠を個別に支持する第２枠をさらに有し、該第２枠により前記表示部と前記第１枠と前記発音体が一体に結合することが望ましい。この構成によれば、表示部と第１枠と発音体とを第２枠によって一体に結合したので、その一体構造をしっかりとした構造にすることができる。
【００１５】
次に、本発明に係る電気光学装置において、前記第２枠は、前記複数の発音体のための気室であって前記表示部と反対側の気室を形成することが望ましい。発音体に関して表示部側及び表示部と反対側の両側に気室を設けることは、音響設計的に重要なことである。これらの気室のうち表示部側の気室は第１枠によって形成される。一方、表示部と反対側の気室は第２枠によって形成することもできるし、第２枠を使用しない場合には電子機器の構成部品を使ってその気室を形成することもできる。この場合、電気光学装置の構成要素である第２枠によって気室を形成しておけば、電子機器の側では何等の音響設計も必要なくなるので、電子機器にとって非常に有利である。
【００１６】
次に、本発明に係る電気光学装置において、前記第２枠は前記表示部、前記第１枠及び前記複数の発音体を収容する容器形状であることが望ましい。こうすれば、表示部、第１枠及び複数の発音体の全てを一体構造にするのが非常に簡単になり、しかも一体構造をしっかりと保持できる。
【００１７】
次に、本発明に係る電気光学装置は、前記第２枠と協働して前記表示部、前記第１枠及び前記発音体を押圧状態で挟持する第３枠をさらに有することが望ましい。こうすれば、表示部、第１枠及び複数の発音体から成る一体構造を極めて強固に保持できる。
【００１８】
次に、本発明に係る電気光学装置において、前記発音体は前記第１枠を挟んで前記表示部の背面に配置されることが望ましい。こうすれば、表示部の表示を見易くできる。また、表示部の横位置に発音体を設ける場合に比べて、電気光学装置を小型にできる。
【００１９】
次に、本発明に係る電気光学装置において、前記放音孔は、前記表示部の表示領域と同じ面に開口することが望ましい。こうすれば、表示を見る観察者にとって音が聞き易くなる。
【００２０】
次に、本発明に係る電気光学装置において、前記複数の発音体はそれらの一部分が互いに重なるように配置されることが望ましい。こうすれば、電気光学装置の幅方向の大きさを小型にできる。また、前記複数の発音体をそれらの全体が互いに重なるように配置することもできる。こうすれば、電気光学装置の幅方向の大きさをさらに一層小型にできる。
【００２１】
次に、本発明に係る電子機器は、電気光学装置と、電気光学装置が取り付けられる被固定部材とを有し、前記電気光学装置は以上に記載した構成の電気光学装置であることを特徴とする。
【００２２】
この電子機器で用いる電気光学装置によれば、第１枠によって表示部が保持され、さらに表示部と発音体との間に第１枠が配置され、さらに発音体のための気室は第１枠によって予め形成され、さらに第１枠に導音路及び放音孔が形成されている。このため、電気光学装置を電子機器の内部に組付ける際には、表示部、第１枠及び発音体を１つのユニットとして電子機器の内部の適所に取り付けるだけでよく、表示部と発音体とを電子機器に別々に組み込む場合に比べて、電子機器の全体形状を小型及び薄型にできる。
【００２３】
また、この電気光学装置によれば、第１枠それ自体によって気室、導音路及び放音孔が形成されるので、電子機器側ではそれらに関する設計を行う必要がなくなり、それ故、電子機器の設計が簡単になり、しかも、電子機器の全体形状を小型及び薄型にできる。また、この電子機器では、発音体が複数用いられるので、ステレオ音声を出力できる。
【００２４】
次に、上記の電子機器において、前記被固定部材は電子機器の外装ケースであることが望ましい。こうすれば、電子機器に関して電気光学装置を取り付けるための部材を新たに用意する必要が無くなるので、部品コスト的に有利である。
【発明を実施するための最良の形態】
【００２５】
（電気光学装置の第１実施形態）
以下、本発明に係る電気光学装置を実施形態に基づいて説明する。なお、これ以降に説明する実施形態は本発明の一例であって、本発明を限定するものではない。また、これからの説明では必要に応じて図面を参照するが、この図面では、複数の構成要素から成る構造のうち重要な構成要素をわかり易く示すため、各要素を実際とは異なった相対的な寸法で示している。
【００２６】
図１は、本発明に係る電気光学装置の一実施形態の断面構造を示している。図２は、図１の矢印Ａ方向から見た場合の電気光学装置の平面構造を示している。これらの図において、電気光学装置１Ａは、表示部としての液晶表示装置２と、発音体としてのスピーカユニット３ａ，３ｂと、第１の枠４と、第２の枠５とを有する。スピーカユニット３ａ，３ｂは本実施形態では２個設けられるが、３個以上の複数個としても良い。
【００２７】
液晶表示装置２は、電気光学パネルとしての液晶パネル６と、この液晶パネル６に付設された照明装置７とを有する。液晶表示装置２は、種々の情報を液晶パネル６の表示領域内に文字、数字、図形等といった画像として表示するものであり、この表示は矢印Ａ方向から観察者によって視認される。照明装置７は、矢印Ａで示す観察方向から見て液晶パネル６の裏側に配置されていて、バックライトとして機能する。なお、照明装置７は、これを液晶パネル６の観察側に配設してフロントライトとして機能させても良い。
【００２８】
照明装置７は、詳しい図示は省略するが、例えば光源としての複数のＬＥＤ（Light Emitting Diode）と、導光体とによって構成できる。そして、ＬＥＤから放射された光を導光体によって面状の光に変換して液晶パネル６へ供給する。なお、光源は、ＬＥＤ以外の点状光源や、冷陰極管等といった線状光源によって構成することもできる。
【００２９】
液晶パネル６は、詳しい図示は省略するが、例えばそれぞれが電極を備えた一対の透光性の基板間に液晶を封入することによって形成される。一対の透光性基板のそれぞれの外側表面には偏光軸を適宜にずらせた状態の偏光板が設けられる。照明装置７から液晶パネル６へ面状の光が供給されるとき、一対の電極に印加する電圧を画素ごとに制御することにより、液晶を通過する光を画素ごとに変調し、この変調光を偏光板に通すことにより、その偏光板の光出射側に文字、数字、図形等といった像を表示する。
【００３０】
液晶パネル６は任意の表示モードによって構成できる。例えば、液晶駆動方式でいえば、単純マトリクス方式およびアクティブマトリクス方式のいずれであっても良い。また、液晶モードの種別でいえば、ＴＮ（Twisted Nematic）、ＳＴＮ（Super Twisted Nematic）、負の誘電率異方性を持つ液晶、すなわち垂直配向用液晶、その他任意の液晶を用いることができる。また、採光方式でいえば、透過型、反射型、半透過反射型のいずれであっても良い。なお、本実施形態では、照明装置７を用いるので、採光方式としては透過型または半透過反射型ということになる。
【００３１】
単純マトリクス方式とは、各画素に能動素子を持たず、走査電極とデータ電極との交差部が画素またはドットに対応し、駆動信号が直接に印加されるマトリクス方式である。この方式に対する液晶モードとしては、ＴＮ、ＳＴＮ、垂直配向モードが用いられる。次に、アクティブマトリクス方式とは、画素またはドットごとに能動素子が設けられ、書き込み期間では能動素子がＯＮ状態となってデータ電圧が書き込まれ、他の期間では能動素子がＯＦＦ状態になって電圧が保持されるマトリクス方式である。この方式で使用する能動素子には３端子型と２端子型がある。３端子型の能動素子には、例えば、ＴＦＴ（Thin Film Transistor）がある。また、２端子型の能動素子には、例えば、ＴＦＤ（Thin Film Diode）がある。
【００３２】
上記のような液晶パネル６において、カラー表示を行う場合には、一対の基板のうちの一方にカラーフィルタが設けられる。カラーフィルタは、特定の波長域の光を選択的に透過する複数のフィルタによって形成される。例えば、３原色であるＢ（青），Ｇ（緑），Ｒ（赤）の１色ずつを基板上の各画素に対応させて所定の配列、例えばストライプ配列、デルタ配列、モザイク配列で並べることによって形成される。
【００３３】
矢印Ａで示す観察側から見てスピーカユニット３ａ，３ｂは、それらの全体が液晶パネル６の表示領域側の面の直角方向空間領域Ｋ０内に入っている。そして、これらのスピーカユニット３ａ，３ｂは矢印Ａで示す観察方向から見て液晶パネル６の背面にその液晶パネル６に重なるように配置されている。スピーカユニット３ａ，３ｂは、例えば、アルミニウム（Ａｌ）製でリング形状のフレーム１１と、このフレーム１１と一体であって円板状の振動子１２と、その振動子１２に固着された円板状の圧電素子１３とを有する。スピーカユニット３ａ，３ｂは、フレーム１１を第１枠４の底面に、接着その他の固着手法によって固着することによって第１枠４に支持されている。
【００３４】
第１枠４は、例えば樹脂成形によって形成され、外観的には概ね角柱状又は角板状に形成されている。そして、この第１枠４の内部には、スピーカユニット３ａ，３ｂに面接触する空間である第１の気室Ｒ１が設けられている。これらの第１気室Ｒ１は円柱状又は円板状の空間として形成されている。これらの第１気室Ｒ１はスピーカユニット３ａ，３ｂに関して表示部側に形成される気室である。
【００３５】
第１枠４はその上端部に矢印Ａ方向から見て長方形状の凹部Ｑを有し、その凹部Ｑの中に照明装置７及び液晶パネル６が収納されている。第１枠４はその内部に２つの導音路Ｐを有している。これらの導音路Ｐは、その一端Ｐａが第１気室Ｒ１の上端面の一部分に連通し、他端Ｐｂが第１枠４の前面、すなわち観察側の面に開放されて放音孔となっている。
【００３６】
第２枠５は、矢印Ａ方向から見て長方形状の底壁５ａと、その底壁５ａから延びる側壁５ｂとによって角筒状、すなわち容器形状に形成されている。第２枠５は、アルミニウム、ステンレス等といった金属によって形成され、その内部に液晶パネル６、第１枠４、照明装置７、及びスピーカユニット３ａ，３ｂが収容されている。
【００３７】
第１枠４は緩衝材１６を介して第２枠５の底壁５ａ上に載置されている。これらの緩衝材１６は弾性材料、例えば、樹脂、ゴム等によって形成されている。底壁５ａとスピーカユニット３ａ，３ｂとの間であって緩衝材１６によって囲まれる空間は第２気室Ｒ２として機能する。これらの第２気室Ｒ２はスピーカユニット３ａ，３ｂに関して表示部と反対側に形成される気室である。第２気室Ｒ２を形成する底壁５ａの一部には通気孔１７が設けられている。
【００３８】
スピーカユニット３ａ，３ｂは導電線１８を有し、この導電線１８を通して音声信号が圧電素子１３へ伝送される。信号を受けた圧電素子１３は振動子１２を振動させ、この振動と第１気室Ｒ１と第２気室Ｒ２との相互作用により上記の音声信号に対応した音が発生し、この音が放音孔Ｐｂを通して矢印Ａで示す観察側において外部へ発せられる。
【００３９】
本実施形態の電気光学装置１Ａは以上に説明した図１の構造の状態で市場に供給されることができる。この電気光学装置１Ａを携帯電話機、携帯情報端末機、ＩＣレコーダ等といった電子機器に組付ける際には、第２枠５を電子機器の被固定部材、例えば筐体、外装ケース等に固定すれば良い。なお、図１に示すように、第２枠５を用いて表示部と反対側の気室Ｒ２を形成しておけば、電子機器の側では何等の音響設計も必要なくなるので、電子機器にとって非常に有利である。
【００４０】
また、本実施形態では第１枠４の底面にスピーカユニット３ａ，３ｂを固着したので、第２枠５を使用しなくても液晶表示装置２とスピーカユニット３ａ，３ｂとを第１枠４によって一体に支持することができる。従って、第２枠５を用いることなく第１枠４を電子機器の被固定部材に固定することもできる。この場合には、第２気室Ｒ２は電子機器側の何等かの部材によって形成されることになる。このように、第２枠５を用いることなく、第１枠４だけによって液晶表示装置２とスピーカユニット３ａ，３ｂとを一体に支持すれば、電気光学装置をより一層小型にできる。
【００４１】
また、場合によっては、電気光学装置１Ａは図３に示す状態で市場に供給することもできる。図３に示す状態が図１に示す状態と異なるのは、第２枠５の側壁５ｂの上端に接合された第３枠２１を有することである。この第３枠２１は、第２枠５と同じ材料、すなわちアルミニウム、ステンレス等といった金属によって形成される。第２枠５と第３枠２１とは矢印Ｂで示すように両側から所定の圧力で押圧された状態で適宜の接合手法、例えば、ネジ止め、スポット溶接、圧入、カシメ等によって接合される。これにより、液晶表示装置２、第１枠４及び緩衝材１６は付勢状態、すなわち応力を発生した状態で第２枠５と第３枠２１との間に収納されている。図３の電気光学装置１Ａを電子機器に組付ける際には、第２枠５又は第３枠２１を電子機器の被固定部材に固定すれば良い。
【００４２】
第３枠２１のうち、第１枠４に設けた導音路Ｐの放音孔Ｐｂに対応する部分には、放音を邪魔しないための開口２２を設けることが望ましい。また、液晶パネル６の表示面と第３枠２１との間に透明な保護シート（図示せず）を設けることも望ましい。このような保護シートは、例えば透光性のプラスチックによって形成できる。液晶パネル６の表面を保護シートで覆うことにすれば、その液晶パネル６を機械的な損傷から保護できる。
【００４３】
本実施形態に係る電気光学装置１Ａは以上のように構成されているので、各種の情報を液晶表示装置２の表示領域内に画像として表示できる。そしてさらに、各種の情報をスピーカユニット３ａ，３ｂによって音声によって表示できる。この音声は、図１において、スピーカユニット３ａ，３ｂで発生し、導音路Ｐを通った後、第１枠４の前面、すなわち液晶パネル６の表示領域と同じ側の面に設けた放音孔Ｐｂから外部へ伝達される。スピーカユニット３ａ，３ｂは複数設けられるので、ステレオ音響によって音声を出力できる。
【００４４】
本実施形態の電気光学装置１Ａによれば、表示部としての液晶表示装置２と第１枠４と発音体としてのスピーカユニット３ａ，３ｂとが一体に結合しており、スピーカユニット３ａ，３ｂのための表示部側の気室Ｒ１はその結合状態において第１枠４によって予め形成されている。このため、電気光学装置１Ａを電子機器の内部に組付ける際には、その一体構造である電気光学装置１Ａを電子機器の内部の適所に取り付けるだけでよく、液晶表示装置２とスピーカユニット３ａ，３ｂとを電子機器に別々に組み込む場合に比べて、電気光学装置１Ａの全体形状を小型及び薄型にできる。
【００４５】
また、本実施形態の電気光学装置１Ａでは、２つのスピーカユニット３ａ，３ｂの全体が液晶パネル６の表示面の直角方向空間領域Ｋ０内に入るように設けられるので、図２において液晶パネル６の横方向の領域にはスピーカユニット３ａ，３ｂが無く、それ故、電気光学装置１Ａを小型に形成できる。
【００４６】
また、本実施形態の電気光学装置１Ａでは、液晶表示装置２、第１枠４及びスピーカユニット３ａ，３ｂを収容する第２枠５を容器形状にしてあるので、液晶表示装置２、第１枠４及びスピーカユニット３ａ，３ｂの全てを一体構造にするのが非常に簡単になり、しかもその一体構造をしっかりと保持できる。
【００４７】
また、本実施形態の電気光学装置１Ａを図３に示す構成とすれば、すなわち、第２枠５と協働して液晶表示装置２、第１枠４及びスピーカユニット３ａ，３ｂを押圧状態で挟持する第３枠２１をさらに設ければ、液晶表示装置２、第１枠４及びスピーカユニット３ａ，３ｂから成る一体構造を極めて強固に保持できる。
【００４８】
また、本実施形態の電気光学装置１Ａでは、スピーカユニット３ａ，３ｂが第１枠４を挟んで液晶表示装置２の背面に配置されるので、液晶表示装置２の表示を見易くできる。また、液晶表示装置２の横位置にスピーカユニット３ａ，３ｂを設ける場合に比べて、電気光学装置１Ａを小型にできる。
【００４９】
また、本実施形態の電気光学装置１Ａでは、スピーカユニット３ａ，３ｂで発生した音を導く導音路Ｐが第１枠４に設けられているので、スピーカユニット３ａ，３ｂから出た音を外部へ放出する場所（すなわち、放音孔Ｐｂ）を自由に選定できる。特に、放音孔Ｐｂを液晶表示装置２の表示領域と同じ面に設けることもできる。このように液晶表示装置２の表示領域と同じ面に放音孔Ｐｂを設ければ、表示を見る観察者にとって音が聞き易くなる。
【００５０】
また、本実施形態の電気光学装置１Ａでは、２個のスピーカユニット３ａ，３ｂが平面状に並んでいる。このため、ステレオ音響の効果を高めることができる。
【００５１】
（電気光学装置の第２実施形態）
図４は、本発明に係る電気光学装置の他の実施形態を示している。図１に示した電気光学装置１Ａでは、発音体としての２つのスピーカユニット３ａ，３ｂは第１枠４に固着されていた。これに対し図４に示す電気光学装置１Ｂでは、２つのスピーカユニット３ａ，３ｂのフレーム１１を第２枠５の底壁５ａに固着することにより、それらのスピーカユニット３ａ，３ｂが第２枠５によって支持されている。つまり、第１枠４が表示部としての液晶表示装置２を支持すると共に、第２枠５がスピーカユニット３ａ，３ｂ及び第１枠４を個別に支持している。
【００５２】
なお、この電気光学装置１Ｂの矢印Ａ方向から見た場合の平面構造は図２に示した平面構造と同じである。また、図４において図１の実施形態と同じ部材は同じ符号を付することにしてその説明は省略するものとする。
【００５３】
図１の電気光学装置１Ａでは、表示部としての液晶表示装置２とスピーカユニット３ａ，３ｂの両方を第１枠４によって支持する構造を採用したので、液晶表示装置２と第１枠４とスピーカユニット３ａ，３ｂとを一体に結合することに関して第２枠５は必ずしも必要ではなかった。これに対し、図４に示す電気光学装置１Ｂでは、スピーカユニット３ａ，３ｂを第２枠５によって支持することにしたので、液晶表示装置２と第１枠４とスピーカユニット３ａ，３ｂとを一体に結合することに関して第２枠が必須の要件となっている。
【００５４】
本実施形態の電気光学装置１Ｂでは、液晶表示装置２と第１枠４とスピーカユニット３ａ，３ｂとを第２枠５によって一体に結合したので、液晶表示装置２とスピーカユニット３ａ，３ｂの間に介在する第１枠４によって液晶表示装置２とスピーカユニット３ａ，３ｂとを支持する場合に比べて、より一層しっかりとした一体構造を形成できる。
【００５５】
（電気光学装置の第３実施形態）
図５は、本発明に係る電気光学装置のさらに他の実施形態を示している。この実施形態において、図１に示した実施形態と同じ要素は同じ符号を付すことにしてその説明は省略するものとする。図１に示した電気光学装置１Ａでは発音体としての２つのスピーカユニット３ａ，３ｂを互いに重ならないように平面状に並べて配置した。これに対し、図５に示す電気光学装置１Ｃでは、２つのスピーカユニット３ａ，３ｂはそれらの一部分が互いに重なるように配置されている。この電気光学装置１Ｃの場合も、図６に示すように、２つのスピーカユニット３ａ，３ｂはそれらの全体が液晶パネル６の表示領域側の面の直角方向空間領域Ｋ０内に入っている。
【００５６】
図５において、第１枠４の内部は段階状になっており、液晶表示装置２に近い側の段部に１つのスピーカユニット３ｂが設けられ、液晶表示装置２から遠い側の段部に他の１つのスピーカユニット３ａが設けられている。
【００５７】
この電気光学装置１Ｃでは、２つのスピーカユニット３ａ，３ｂをそれらの一部分が互いに重なるように配置したので、図１の電気光学装置１Ａのようにスピーカユニット３ａ，３ｂを平面状に並べて配置した場合と比べて、電気光学装置の幅方向（すなわち、図６の左右方向Ｃ）の大きさをより一層小型にできる。また、本実施形態では、図１の電気光学装置１Ａのようにスピーカユニット３ａ，３ｂを互いに重ならないように平面状に並べて配置した場合と比べて、電気光学装置の縦方向（すなわち、図６の上下方向）に収まるサイズまでスピーカユニット３ａ，３ｂを大きくすることができる。
【００５８】
（電気光学装置の第４実施形態）
図７は、本発明に係る電気光学装置のさらに他の実施形態を示している。この実施形態において、図１に示した実施形態と同じ要素は同じ符号を付すことにしてその説明は省略するものとする。図５に示した電気光学装置１Ｃでは発音体としての２つのスピーカユニット３ａ，３ｂをそれらの一部分が重なるように配置した。これに対し、図７に示す電気光学装置１Ｄでは、２つのスピーカユニット３ａ，３ｂの全体が互いに重なるように配置されている。この電気光学装置１Ｄの場合も、図８に示すように、２つのスピーカユニット３ａ，３ｂはそれらの全体が液晶パネル６の表示領域側の面の直角方向空間領域Ｋ０内に入っている。
【００５９】
この電気光学装置１Ｄでは、２つのスピーカユニット３ａ，３ｂをそれらの全体が互いに重なるように配置したので、図１の電気光学装置１Ａのようにスピーカユニット３ａ，３ｂを互いに重ならないように平面状に並べて配置した場合や、図５の電気光学装置１Ｃのように２つのスピーカユニット３ａ，３ｂをそれらの一部分が互いに重なるように配置した場合に比べて、電気光学装置の幅方向（すなわち、図８の左右方向Ｃ）の大きさをより一層小型にできる。
【００６０】
また、本実施形態では、図１の電気光学装置１Ａのようにスピーカユニット３ａ，３ｂを互いに重ならないように平面状に並べて配置した場合や、図５の電気光学装置１Ｃのように２つのスピーカユニット３ａ，３ｂをそれらの一部分が互いに重なるように配置した場合に比べて、電気光学装置の縦方向（すなわち、図８の上下方向）に収まるサイズまでスピーカユニット３ａ，３ｂをさらに大きくすることができる。
【００６１】
また、図７の電気光学装置１Ｄでは、２つのスピーカユニット３ａ，３ｂのための表示部側の気室Ｒ１及び表示部と反対側の気室Ｒ２が、全て、第１枠４によって形成されている。また、液晶表示装置２から遠い側のスピーカユニット３ａに関しては、導音路Ｐの一端Ｐａが液晶表示装置２と反対側の気室Ｒ２の一部分に連通し、他端Ｐｂが観察側の面に開放されて放音孔となっている。また、液晶表示装置２に近い側のスピーカユニット３ｂに関しては、導音路Ｐの一端Ｐａが液晶表示装置２側の気室Ｒ１の一部分に連通し、他端Ｐｂが観察側の面に開放されて放音孔となっている。
【００６２】
図１の電気光学装置１Ａでは、表示部と反対側の気室Ｒ２を形成するために第２枠５が必要であったり、第２枠５を用いない場合はその気室Ｒ２を形成するために電子機器側で何等かの部材を用意する必要があったりした。これに対し、図７の電気光学装置１Ｄでは、スピーカユニット３ａ，３ｂに関する表裏両側の気室Ｒ１及びＲ２を第１枠４だけで形成でき、第１枠４以外の何等の部材も不要である。これにより、電気光学装置をより一層小型にできる。
【００６３】
なお、図７の電気光学装置１Ｄを携帯電話機、携帯情報端末機、ＩＣレコーダ等といった電子機器に組み込む際には、第１枠４を電子機器内の筐体、機枠等に直接に固定すれば良い。この際、気室Ｒ１及びＲ２は第１枠４によって予め適切な条件に設置されているので、電子機器側では気室に関する条件設定は不要である。但し、電気光学装置１Ｄを電子機器に組付けるに際して、作業上の必要性及び構造上の必要性から、図１に示す第２枠５のように液晶表示装置２、第１枠４及びスピーカユニット３ａ，３ｂの各要素を外側から覆うような第２枠５を用いても良い。
【００６４】
（電気光学装置に関するその他の実施形態）
以上、好ましい実施形態を挙げて本発明を説明したが、本発明はその実施形態に限定されるものでなく、請求の範囲に記載した発明の範囲内で種々に改変できる。
例えば、以上の説明では電気光学装置の表示部として液晶表示装置を用いたが、液晶表示装置に代えてその他の表示装置、例えばＥＬ表示装置、プラズマディスプレイ装置等を用いることができる。また、図１に示したスピーカユニット３ａ．３ｂは振動板１２及び圧電素子１３を用いて構成したが、発音体はこのようなスピーカユニットに限られず、必要に応じて種々の構造のスピーカユニットを用いることができる。
【００６５】
（電子機器の第１実施形態）
図９は、本発明に係る電子機器の一実施形態を示している。ここに示す電子機器３１は、被固定部材としての筐体３２と、その筐体３２に取り付けられた電気光学装置１Ｅとを有する。電子機器３１は、例えば、携帯電話機、携帯情報端末機、ＩＣレコーダ、その他種々の機器であり、筐体３２はそれらの機器の外装ケースであったり、外装ケースの中に設置される機枠であったり、あるいは、その他電子機器からの必要に応じて設けられる任意の構造物であったりする。なお、通常の電子機器において一般的に用いられている何等かの要素によって筐体３２を構成することにすれば、電気光学装置を固定するための特別な部材を用意する必要がなくなるので好都合である。
【００６６】
電気光学装置１Ｅは図１に示した電気光学装置１Ａと殆ど同じものを用いるものとする。この電気光学装置１Ｅが図１の電気光学装置１Ａと異なるのは、第２枠３５だけであり、その他の部材は全く同じである。従って、同じ部材は同じ符号を付して示すことにしてそれらの部材の説明は省略することにする。
【００６７】
図９に示す第２枠３５は、図１に示す第２枠５の側壁５ｂを上方へ延長した形状を有している。より詳細には、第２枠３５の側壁は、その上端が液晶パネル６の表示面と略同じになるように、望ましくは液晶パネル６の表示面よりも少し低い位置となるように、形成されている。また、第２枠３５の側壁の上端は必要に応じて部分的に横方向へ曲げられてフランジ３６を構成している。そして、このフランジ３６の所で第２枠３５が筐体３２の内面に当接している。
【００６８】
第２枠３５は、フランジ３６を筐体３２に当接させた状態で適宜の固定手法、例えば、接着、ネジ止め、圧入、嵌合、カシメ等によって筐体３２に固定される。この固定状態において、液晶表示装置２、第１枠４及び緩衝材１６は適切な押圧力の下に付勢状態で第２枠３５の中に収納されることが望ましい。このような付勢状態を実現すれば、液晶表示装置２、第１枠４及びスピーカユニット３ａ，３ｂを電子機器３１の内部でしっかりと固定できる。
【００６９】
本実施形態の電子機器３１では、電気光学装置１Ｅの構成要素である液晶表示装置２と第１枠４とスピーカユニット３ａ，３ｂとが一体に結合しており、さらに、スピーカユニット３ａ，３ｂのための気室Ｒ１及びＲ２はその結合状態において第１枠４及び第２枠３５によって予め形成されている。このため、電気光学装置１Ｅを筐体３２の内部に組付ける際には、その一体構造である電気光学装置１Ｅを筐体３２の適所に取り付けるだけでよく、液晶表示装置２とスピーカユニット３ａ，３ｂとを筐体３２に別々に組み込む場合に比べて、電気光学装置１Ｅ及び電子機器の全体形状を小型及び薄型にできる。
【００７０】
（電子機器の第２実施形態）
図１０は、本発明に係る電子機器の一実施形態のブロック図を示している。ここに示す電子機器は、電気光学装置６１と、これを制御する制御回路７０とを有する。電気光学装置６１は、電気光学パネルとしての液晶パネル６６と、半導体ＩＣ等で構成される駆動回路７２と、スピーカユニット６３とを有する。スピーカユニット６３は複数個設けられる。
【００７１】
制御回路７０は、表示情報出力源７３と、表示情報処理回路７４と、電源回路７６と、タイミングジェネレータ７７と、音声情報処理回路７８を有する。表示情報出力源７３は、ＲＯＭ（Read Only Memory）やＲＡＭ（Random Access Memory）等から成るメモリと、磁気記録ディスクや光記録ディスク等から成るストレージユニットと、デジタル画像信号を同調出力する同調回路とを有する。この表示情報出力源７３は、タイミングジェネレータ７７によって生成された各種のクロック信号に基づいて、所定フォーマットの画像信号等の形で表示情報を表示情報処理回路７４に供給する。
【００７２】
表示情報処理回路７４は、シリアル−パラレル変換回路、増幅・反転回路、ローテーション回路、ガンマ補正回路、クランプ回路等といった周知の各種回路を備え、入力した表示情報の処理を実行して、その画像情報をクロック信号ＣＬＫと共に駆動回路７２へ供給する。駆動回路７２は、走査線駆動回路、データ線駆動回路及び検査回路を含む。また、電源回路７６は、上記の各構成要素にそれぞれ所定の電圧を供給する。音声情報処理回路７８は、音声信号をスピーカユニット６３へ伝送してそのスピーカユニット６３から音声を発生させる。
【００７３】
電気光学装置６１は、例えば、図１の電気光学装置１Ａや、図４に示す電気光学装置１Ｂや、図５に示す電気光学装置１Ｃや、図７に示す電気光学装置１Ｄ等によって構成できる。これらの電気光学装置では、例えば図１において、表示部としての液晶表示装置２と第１枠４と発音体としてのスピーカユニット３ａ，３ｂとが一体に結合しており、スピーカユニット３ａ，３ｂのための表示部側の気室Ｒ１はその結合状態において第１枠４によって予め形成されている。このため、電気光学装置１Ａを電子機器の内部に組付ける際には、その一体構造である電気光学装置１Ａを電子機器の内部の適所に取り付けるだけでよく、液晶表示装置２とスピーカユニット３ａ，３ｂとを電子機器に別々に組み込む場合に比べて、電気光学装置１Ａの全体形状を小型及び薄型にできる。電気光学装置１Ａの形状を小型及び薄型にできるということは、電子機器の全体形状も小型及び薄型にできるということである。
【００７４】
（電子機器の第３実施形態）
図１１は、本発明に係る電子機器の一例である携帯電話機を示している。ここに示す携帯電話機８０は、本体部８１と、これに開閉可能に設けられた表示体部８２とを有する。表示体部８２の内部には電気光学装置８３が配置され、電話通信に関する各種表示は、表示体部８２において表示画面８４によって視認できる。本体部８１には操作ボタン８６が配列されている。
【００７５】
表示体部８２の一端部にはアンテナ８７が伸縮自在に取り付けられている。表示体部８２の上部に設けられた受話部８８の内部には、図示しないスピーカが配置される。また、本体部８１の下端部に設けられた送話部８９の内部には図示しないマイクが内蔵されている。電気光学装置８３の動作を制御するための制御部は、携帯電話機の全体の制御を司る制御部の一部として、又はその制御部とは別に、本体部８１又は表示体部８２の内部に格納される。
【００７６】
電気光学装置８３は、例えば、図１の電気光学装置１Ａや、図４に示す電気光学装置１Ｂや、図５に示す電気光学装置１Ｃや、図７に示す電気光学装置１Ｄ等によって構成できる。これらの電気光学装置の放音孔Ｐｂは、例えば図１１の受話部８８に対応した位置に配置される。これらの電気光学装置を携帯電話機８０内に固定するための被固定部材は、携帯電話機８０の外装ケースや、その外装ケース内の適宜の筐体や、その外装ケース内の適宜のフレーム等とすることができる。
【００７７】
上記の電気光学装置に関しては、例えば図１において、表示部としての液晶表示装置２と第１枠４と発音体としてのスピーカユニット３ａ，３ｂとが一体に結合しており、スピーカユニット３ａ，３ｂのための表示部側の気室Ｒ１はその結合状態において第１枠４によって予め形成されている。このため、電気光学装置１Ａを電子機器の内部に組付ける際には、その一体構造である電気光学装置１Ａを電子機器の内部の適所に取り付けるだけでよく、液晶表示装置２とスピーカユニット３ａ，３ｂとを電子機器に別々に組み込む場合に比べて、電気光学装置１Ａの全体形状を小型及び薄型にできる。電気光学装置１Ａの形状を小型及び薄型にできるということは、携帯電話機８０の全体形状も小型及び薄型にできるということである。
【００７８】
（電子機器に関するその他の実施形態）
以上、好ましい実施形態を挙げて本発明を説明したが、本発明はその実施形態に限定されるものでなく、請求の範囲に記載した発明の範囲内で種々に改変できる。
例えば、本発明に係る電子機器としては、以上に説明した携帯電話機の他にも、パーソナルコンピュータ、液晶テレビ、デジタルスチルカメラ、腕時計、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、その他各種の機器が考えられる。
【産業上の利用可能性】
【００７９】
本発明に係る電気光学装置は、携帯電話機、携帯情報端末機、ＩＣレコーダ、その他の電子機器で各種の表示を行う際に表示用の機器として好適に用いられる。特に、画像表示と共に音声表示も行う機器に好適に用いられる。また、本発明に係る電子機器は携帯電話機、携帯情報端末機、ＩＣレコーダ等といった民生機器や、計測器その他の工業用機器等として用いられる。
【図面の簡単な説明】
【００８０】
【図１】本発明に係る電気光学装置の一実施形態を示す断面図である。
【図２】図１の電気光学装置の矢印Ａに従った平面図である。
【図３】図１の電気光学装置の使用例を示す断面図である。
【図４】本発明に係る電気光学装置の他の実施形態を示す断面図である。
【図５】本発明に係る電気光学装置のさらに他の実施形態を示す断面図である。
【図６】図５の電気光学装置の矢印Ａに従った平面図である。
【図７】本発明に係る電気光学装置のさらに他の実施形態を示す断面図である。
【図８】図７の電気光学装置の矢印Ａに従った平面図である。
【図９】本発明に係る電子機器の一実施形態を示す断面図である。
【図１０】本発明に係る電子機器の他の実施形態を示すブロック図である。
【図１１】本発明に係る電子機器のさらに他の実施形態を示す斜視図である。
【符号の説明】
【００８１】
１Ａ，１Ｂ，１Ｃ，１Ｄ，１Ｅ．電気光学装置、  ２．液晶表示装置（表示部）、
３ａ，３ｂ．スピーカユニット（発音体）、  ４．第１枠、  ５．第２枠、
６．液晶パネル（電気光学パネル）、  ７．照明装置、  １１．フレーム、
１２．振動子、  １３．圧電素子、  １６．緩衝材、  １７．通気孔、  １８．導電線、
２１．第３枠、  ２２．開口、  ３１．電子機器、  ３２．筐体、  ３３．通気孔、
３５．第２枠、  ３６．フランジ、  ６２．液晶表示装置（表示部）、
６３．スピーカユニット、  ６６．液晶パネル、  ８０．携帯電話機（電子機器）、
８１．本体部、  ８２．表示体部、  ８３．電気光学装置、  ８４．表示画面、
８６．操作ボタン、  ８７．アンテナ、  ８８．受話部、  ８９．送話部、
Ｋ０．直角方向空間領域、  Ｐ．導音路、  Ｐａ．一端、  Ｐｂ．放音孔、  Ｑ．凹部、
Ｒ１，Ｒ２．気室
【図１】
2006100898.tif 000003
【図２】
2006100898.tif 000004
【図３】
2006100898.tif 000005
【図４】
2006100898.tif 000006
【図５】
2006100898.tif 000007
【図６】
2006100898.tif 000008
【図７】
2006100898.tif 000009
【図８】
2006100898.tif 000010
【図９】
2006100898.tif 000011
【図１０】
2006100898.tif 000012
【図１１】
2006100898.tif 000013